(57)【要約】【課題】  本発明は、新たな構造により、飲料缶への強固な装着を可能にする包装容器を提供することを課題としている。【解決手段】  連結箇所に、従来技術に加え新たな設計構造を追加し上述の課題を克服する。具体的にはこれまでの飲料缶上端と係合させる爪を設けるという構造と併せて、飲料缶上端部を挟み込めるように包装容器内部に上端部を逃がす凹所を作成し、また凹所とともに機能する新たな爪を設けることで、包装容器に対する外部圧力に耐えうる突っ張りの役割を担わせるとともに、凹所とそれぞれの爪とをうまく連携させることでより強固に連結する構造を考案した。これにより課題を解決できた。【選択図】図１
2020001822.tif 000002
【特許請求の範囲】
【請求項１】
飲料用缶の上部に取り付けられる飲料缶用包装容器であって、底面開口部と、前記底面開口部の周縁部に周方向に間隔を空けて形成されて、前記飲料缶の上端部に嵌合する４つの凹所を含み、前記４つ凹所は、２つの凹所対を含み、前記底面部の周縁部において、各凹所対をなす前記凹所の間に設けられ、前記飲料缶の上端部に係合して、当該当上端部を内側に向けて押す複数の第１押圧爪をさらに含み、前記底面開口部の周縁部において、互いに異なる凹所対同士の間には、前記第１押圧爪が設けられていない、飲料缶用包装容器。
【請求項２】
前記底面開口部の周縁部において、互いに異なる凹所対同士の間にそれぞれ設けられ、前記飲料缶の上端部の内側で、前記飲料缶の上面を押圧する第２の押圧爪をさらに含む、請求項１に記載の飲料缶用包装容器。
【請求項３】
飲料缶包装容器に使用する材料は、コートボール紙、ポリオレフィンシート、プラスチックフィルムシートのうちの少なくとも１種である、請求項１または請求項２の飲料缶用包装容器。
【発明の詳細な説明】
【技術分野】
【０００１】  本発明は、飲料缶の上部に取り付けられる、包装容器に関する。
【背景技術】
【０００２】  従来から、飲料メーカー等の販売促進のひとつの手段として飲料缶の上部に取り付けられる包装容器が知られている。この種の包装容器は、特権文献１及び２に示すような、容器底面の円周開口部に設けた爪が飲料缶の上部の円周を囲む形態の収容容器で、飲料缶の上部に景品を収納するものである。【０００３】  しかし、この包装容器は飲料缶の保持力が弱く、包装容器を持ち上げたときに飲料缶が脱落することがあり、また、輸送途中などに包装容器が飲料缶から離脱するようなことがあった。
【先行技術文献】
【特許文献】
【０００４】
【特許文献１】特開２０１１−９３５６１
【特許文献２】特開２００７−１１２４６７
【発明の概要】
【発明が解決しようとする課題】
【０００５】  本発明は、新たな構造により、飲料缶への強固な装着を可能にする包装容器を提供することを課題としている。
【課題を解決するための手段】
【０００６】  請求項１に記載の発明は、飲料用缶の上部に取り付けられる飲料缶用包装容器であって、底面開口部と、前記底面開口部の周縁部に周方向に間隔を空けて形成されて、前記飲料缶の上端部に嵌合する４つの凹所を含み、前記４つ凹所は、２つの凹所対を含み、前記底面部の周縁部において、各凹所対をなす前記凹所の間に設けられ、前記飲料缶の上端部に係合して、当該当上端部を内側に向けて押す複数の第１押圧爪をさらに含み、前記底面開口部の周縁部において、互いに異なる凹所対同士の間には、前記第１押圧爪が設けられていない、飲料缶用包装容器を提供する。【０００７】  請求項２に記載の発明は、前記底面開口部の周縁部において、互いに異なる凹所対同士の間にそれぞれ設けられ、前記飲料缶の上端部の内側で、前記飲料缶の上面を押圧する第２の押圧爪をさらに含む、請求項１に記載の飲料缶用包装容器である。【０００８】請求項３に記載の発明は、飲料缶包装容器に使用する材質を、コートボール紙、ポリオレフィンシートおよびプラスチックフィルムシートのうちの少なくとも一種であることを条件とした請求項１または請求項２の飲料缶用包装容器である。
【発明の効果】
【０００９】  飲料缶への強固な装着を可能にする包装容器を提供できる。
【図面の簡単な説明】
【００１０】
【図１】本発明の包装容器の展開図である。
【図２】未装着状態の底面斜視図である。
【図３】装着状態の斜視図である。
【発明を実施するための形態】
【００１１】  以下では、図面を参照しながら、本発明の実施形態に係る包装容器１１について説明する。図１は、包装容器１１の展開図である。包装容器１１は、厚さ２５μの樹脂シート（たとえばポリプロピレンシートを用いて形成されている）とする。
【００１２】  図１に示すように正面１、側面２、背面３を含む包装容器１１の底面には飲料缶２１を貫通させるための円形の底面開口部４を施している。底面開口部４の周縁部には、４つのＬ字状の凹所６ａ〜６ｄが周方向に間隔を空けて設けられている。包装容器１１を飲料缶２１の上部に取り付けた状態で４つの凹所６ａ〜６ｄは、それぞれ、飲料缶２１の上端部２２に嵌合している。凹所６ａと６ｂとは互いに対を成し、凹所６ｃと凹所６ｄとが互いに対を成している。（凹所対を形成）
【００１３】  底面開口部４の周縁部において、凹所６ａと凹所６ｂとの間、および凹所６ｃと凹所６ｄとの間には、それぞれ、複数（たとえば４つ）の第１押圧爪５が設けられている。各第１押圧爪５は、折り曲げ片によって構成されており、弾性変形可能に設けられている。この実施形態では、複数の第１押圧爪５が隙間なく設けられているが、間隔を空けて設けられていてもよい。凹所間に設けられている第１押圧爪５の数は、４個に限られず２〜８個の範囲であってもよいが、飲料缶円弧の長さから設ける片数に限りがあること、および１片あたりに独立した保持力を持たすことを優先条件とした結果、４〜５片が最も実用的と言える。
【００１４】  しかし飲料缶の口径サイズが各メーカーによって若干異なり、また本発明包装容器を前述のどの素材で製造するかによって、そのような多様な口径飲料缶との装着度合が決まるので、第１押圧爪５の片数は適宜変更すればよい。
【００１５】  また、底面開口部４の周縁部において、凹所６ｂと凹所６ｃとの間、および凹所６ａと凹所６ｄとの間には、それぞれ、ひとつの第２押圧爪７が設けられている。包装容器１１を飲料缶２１の上部に取り付けた状態で、これら一対の第２押圧爪７の先端が、飲料缶２１の上面２３を下方に向けて押し付けている。凹所間に設けられている第２押圧爪の数は１片に限られず複数であってもよい。
【００１６】  装着経緯について図２および図３で示し、以下の通りである。
【００１７】  飲料缶上部に垂直にゆっくりと包装容器１１を被せるようにしていくと、第１押圧爪５が徐々に押し上げられ、また第１押圧爪５設計時の折れ線および自らが元に戻ろうとする自然力の働きにより、押し上げられる力の限界を超えた瞬間、飲料缶２１の上端部の根元と係合し、上端部２２を内側に向けて押圧する。
【００１８】  この時、すべての第１押圧爪５は飲料缶２１により均一の力で押し上げられ、そのまま均一に嵌合するので、しっかりと安定して飲料缶２１を保持する。
【００１９】  また、前記爪５が飲料缶に押し上げられる際、ほぼ同時に前記の４カ所の凹所６ａ〜６ｄに飲料缶２１の上端部が差し込まれていき、装着する際にかかる手ぶれなど、わずかな外部圧力に対してもその影響を受けさせないようしっかりと嵌合を補助する。
【００２０】  また、それぞれの凹所６ａ〜６ｄの間に設けている第２押圧爪７は前記装着時の際に飲料缶の蓋部に対し垂直に突っ張るように装着する。本発明の包装容器は飲料缶の上からゆっくりではあるものの押さえこむように装着させるので、上側からの手の圧力に対しては第２押圧爪７が包装容器自体を支える働きとなる。
【００２１】  その結果として、前記の爪５および前記の凹所６ａ〜６ｄおよび前記の爪７が同時に飲料缶２１上端部を挟み込むように嵌合し、これまでにはない新たな構造でしっかりと飲料缶を保持することができるため、従来品に比べはるかに強固となり、外部圧力に対しての効果性を高めると同時に、容易には脱落させず、また、その強固な接着度合により、収容中身の景品類に及びかねない負荷影響の可能性を低めることができる。
【００２２】  本発明の包装容器は、コートボール紙、ポリオレフィンシート、プラスチックフィルムシートより選ばれる少なくとも一種類より製造し、収容内容物によってその材質は適宜変更すればよい。たとえばおつまみや菓子などであればコートボール紙で十分な強度が得られる。一方で法律上、その食品の一括表示および賞味期限を消費者に見せなければならないという観点で考えると、コートボール紙の場合は印刷して表示する手法が必要になる。
【００２３】  また、ポリオレフィンシート、プラスチックフィルムシートの場合は素材が透明なので収容中身を容易に確認することができ、また紙に比べるとその強度自体も固くしっかりとしているので、紙よりもコストがかさむというデメリットを考えなければ有効な素材と言える。
【００２４】  しかしながら本発明の包装容器はいずれの材質でも製造可能な設計構造であるので、用途によって製造方法を選定できるという幅の広さを兼ねている。
【００２５】  また、第２押圧爪７を省略してもよい。この場合、凹所６ａの上端と凹所６ｄの上端とを直線でつなげるようにしてもよいし、凹所６ｂ上端部と凹所６ｃの上端部をつなげるようにしてもよい。
【符号の説明】１．包装容器の正面
２．包装容器の側面
３．包装容器の背面
４．包装容器の底面開口部
５．包装容器円弧開口部に設ける第１押圧爪
６．包装容器正面、背面に設ける凹所６ａ〜６ｄ
７．包装容器正面、背面に設ける第２押圧爪
１１．包装容器
２１．飲料缶
２２．上端部
２３．飲料缶上面
【図１】
2020001822.tif 000003
【図２】
2020001822.tif 000004
【図３】
2020001822.tif 000005
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
飲料缶の上部に取り付けられる飲料缶用包装容器であって、
底面開口部と、
前記底面開口部の周縁部に周方向に間隔を空けて形成されて、前記飲料缶の上端部に嵌合する４つの凹所を含み、
前記４つ凹所は、２つの凹所対を含み、
前記底面開口部の周縁部において、各凹所対をなす前記凹所の間に設けられ、前記飲料缶の上端部に係合して、当該当端部を内側に向けて押す複数の第１押圧爪と、
前記底面開口部の周縁部において、互いに異なる凹所対同士の間にそれぞれ設けられ、前記飲料缶の上端部の内側で、前記飲料缶の上面を押圧する第２の押圧爪と、をさらに含み、各凹所が、前記底面開口部から径方向外方に入り込んだＶ溝を含む、飲料缶用包装容器。
【請求項２】
飲料缶用包装容器に使用する材料は、コートボール紙、ポリオレフィンシート、プラスチックフィルムシートのうち少なくとも１種である、請求項１の飲料缶用包装容器。
【手続補正２】
【補正対象書類名】明細書
【補正対象項目名】０００６
【補正方法】変更
【補正の内容】
【０００６】      請求項１に記載の発明は、飲料缶の上部に取り付けられる飲料缶用包装容器であって、底面開口部と、前記底面開口部の周縁部に周方向に間隔を空けて形成されて、前記飲料缶の上端部に嵌合する４つの凹所を含み、前記４つ凹所は、２つの凹所対を含み、前記底面開口部の周縁部において、各凹所対をなす前記凹所の間に設けられ、前記飲料缶の上端部に係合して、当該当端部を内側に向けて押す複数の第１押圧爪と、前記底面開口部の周縁部において、互いに異なる凹所対同士の間にそれぞれ設けられ、前記飲料缶の上端部の内側で、前記飲料缶の上面を押圧する第２の押圧爪と、をさらに含み、各凹所が、前記底面開口部から径方向外方に入り込んだＶ溝を含む、飲料缶用包装容器を提供する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】      請求項２に記載の発明は、飲料缶等包装容器に使用する材質を、コートボール紙、ポリオレフィンシートおよびプラスチックフィルムシートのうちの少なくとも一種であることを条件とした請求項１の飲料缶用包装容器である。